(57)【要約】【課題】逆光となる位置で釣りを行う際の視認性に優れた釣り用浮きおよび浮きトップを提供する。【解決手段】釣り用浮きの一端に浮きトップ７を設ける。浮きトップ７となる基材２７の表面に、着色層と、反射層と、トップコートと、をこの順で設ける。反射層はビーズとバインダーとを含み、凹凸を有する。また、釣り用浮きの他端に、比重調整部９を設ける。比重調整部９には、糸取付部１９を備えた錘１７が着脱される。【選択図】　　　　図１
2004081007.tif 000002
【特許請求の範囲】
【請求項１】
本体および浮きトップを備える釣り用浮きであって、前記浮きトップは、基材と、該基材上に形成され、凹凸により光を乱反射させる反射層と、を含むことを特徴とする釣り用浮き。
【請求項２】
請求項１に記載の釣り用浮きにおいて、前記基材が透明または半透明であることを特徴とする釣り用浮き。
【請求項３】
請求項１または２に記載の釣り用浮きにおいて、前記反射層がビーズを含むことを特徴とする釣り用浮き。
【請求項４】
釣り用浮き本体に取り付けて用いられる浮きトップであって、基材と、該基材上に形成され、凹凸により光を乱反射させる反射層と、を含むことを特徴とする浮きトップ。
【発明の詳細な説明】
【０００１】
【発明の属する技術分野】
本発明は、釣りに用いる浮きおよび浮きトップに関し、より詳しくは、逆光となる位置で釣りを行う際の視認性に優れた釣り用浮きおよび浮きトップに関する。
【０００２】
【従来の技術】
釣り用浮き（以下適宜「浮き」と呼ぶ）は、釣り糸の途中に設けられることによって目印となる部材であり、対象魚の種類や釣法、釣り人の好みなどに応じて種々の形状のものが用いられている。浮きの重要な役割は、釣り餌への魚の食いつき（以下「アタリ」と呼ぶ）を釣り人に認知させることである。したがって、いずれの形状の浮きにおいても、浮きの視認性は釣り人にとって非常に重要である。
【０００３】
浮きの視認性を向上させるためには、水に浮かべた際に水面上に露出する浮きトップの視認性を向上させることが重要である。
【０００４】
たとえば夜間は、浮きの視認性が低いため、これを高めるために、各種の浮きが提案されていた。たとえば、実用新案登録第３００６０８１号公報には、水に浮かべた際に水面上に露出する部分に、化学発光薬液を内蔵した浮きが記載されている。また、実用新案登録第３０２４９０４号公報には、蓄光塗料を塗布された浮きが記載されている。
【０００５】
しかし、これらの浮きは、夜間の視認性を向上させることを目的とした浮きであった。昼間、釣り人から逆光となる位置での視認性は、夜間よりさらに低く、これらの浮きでは、逆光となる位置での視認性が低かった。
【０００６】
そこで、釣り人から逆光となる位置での視認性を高めた浮きとして、たとえば特開平１−３０９６３１号公報に記載の浮きが提案されていた。この浮きは、水に浮かべた際に水面上に露出する部分に透光性をもたせ、露出部分への入射光を、浮き内部に設けられた反射板によって反射させることにより、視認性を向上させようとするものであった。
【０００７】
しかし、上記の浮きにおいても、釣り人から逆光となる位置での視認性の向上が十分とはいえなかった。
【発明が解決しようとする課題】
【０００８】
以上のように、浮きが釣り人から逆光となる場合、特に浮きの視認性が低いため、釣り人から逆光となる位置での視認性の高い浮きが求められている。
【０００９】
上記事情を鑑み、本発明は、逆光となる位置で釣りを行う際の視認性に優れた釣り用浮きおよび浮きトップを提供することを目的とする。
【００１０】
【課題を解決するための手段】
本発明によれば、本体および浮きトップを備える釣り用浮きであって、前記浮きトップは、基材と、該基材上に形成され、凹凸により光を乱反射させる反射層と、を含むことを特徴とする釣り用浮きが提供される。
【００１１】
また本発明によれば、釣り用浮き本体に取り付けて用いられる浮きトップであって、基材と、該基材上に形成され、凹凸により光を乱反射させる反射層と、を含むことを特徴とする浮きトップが提供される。
【００１２】
本発明によれば、浮きトップに凹凸により光を乱反射させる反射層が形成されているため、釣り人から逆光となる位置でも優れた視認性が得られる。逆光となる位置では、浮きが釣り人と太陽との間に位置するため、浮きが太陽光を遮る陰として視認される。ところが本発明においては、浮きトップに設けられた反射層で入射光が乱反射し、これが釣り人に到達するため、逆光の位置でも浮きトップが照り輝き、優れた視認性が得られるのである。
【００１３】
浮きトップは、本体から取り外し可能にすることもできる。こうすることによって、釣り人は、自分にとって最も視認性の高い色の浮きトップを選択し、浮き本体に取り付けて用いることができる。
【００１４】
本発明の釣り用浮きにおいて、基材は、透明または半透明としてもよい。こうすることによって、このようにした場合、浮きトップへの入射光は、透明または半透明の基材を透過し、反射層の凹凸で乱反射し、これが釣り人に到達する。このため、特に優れた視認性が得られる。
【００１５】
本発明において、反射層はビーズを含む構成とすることができる。こうすることにより、反射層にビーズの形状による凹凸が好適に形成される。したがって、本発明の浮きトップに入射した光は、ビーズの表面で効率よく乱反射する。よって、釣り人から逆光となる位置における浮きの視認性を、さらに向上させることができる。
【００１６】
本発明の釣り用浮きにおいて、基材と反射層との間に着色層を設けてもよい。こうすることにより、浮きトップの視認性を、より一層向上させることができる。
【００１７】
【発明の実施の形態】
以下、本発明の好ましい実施の形態について図面を参照して説明する。
【００１８】
図１は、本発明の釣り用浮きの一例を示す図である。図１の浮きは、浮き本体１と、水に浮かべた際に水面上に露出する浮きトップ７と、比重調整部９とを含む。
【００１９】
図２は、図１に示す釣り用浮きのＡ−Ａ’断面の一例を示す図である。図２の断面構造では、基材２７上に、着色層１１、反射層１３およびトップコート１５がこの順に設けられている。反射層１３は、バインダー（図示せず）中にビーズ２５が定着された構造となっており、凹凸表面を有している。
【００２０】
図７は、図１に示す釣り用浮きのＡ−Ａ’断面の別の例を示す図である。図７では、着色層１１の表面に直接ビーズ２５が配設され、その表面にトップコート１５が設けられている。
【００２１】
以下、浮きトップ７の断面構造として図７に示す構造を採用した場合を例に挙げ、優れた視認性が得られる理由について説明する。
図１の浮きを水に浮かべると、浮きトップ７が水面上に直立する。そして、図５に示すように、浮きトップ７に入射した光は、ビーズ２５の表面で乱反射し、全方向に出射する。よって、浮きが釣り人から逆光となる場合、すなわち浮きが釣り人と太陽との間に位置する場合においても、浮きが太陽光を遮る陰となりにくく、浮きトップ７を透過した光がビーズ２５からなる反射層の凹凸表面で乱反射し、釣り人に到達する。このため、釣り人の位置から見ると浮きトップ７が光り輝いて見え、優れた視認性が得られる。
【００２２】
浮き本体１を構成する材料は、水に浮くものであれば特に制限はないが、たとえばモミジアオイ、桐などの木材や、クジャクの羽根、樹脂材料、たとえば発泡樹脂などを用いることができる。また、図１では浮き本体１を棒状としたが、その形状はこれに限定されず、たとえば球状等としてもよい。
【００２３】
また、浮きトップ７の基材２７は、たとえば浮き本体１を構成する材料から選択することができる。基材２７の材料は、浮き本体１の材料と同じものとすることもできるし、異なるものとすることもできる。また、基材２７を透明とする場合、たとえば塩化ビニル製のチューブなどを用いることができ、基材２７を半透明とする場合、たとえば棒状の繊維強化ポリエステルなどの合成樹脂を用いることができる。
【００２４】
浮きトップ７と浮き本体１との接続は、たとえば、図４（ａ）、図４（ｂ）に示す態様を採用することができる。図４（ａ）は、浮きトップ７の先端に雄ネジ２９を設け、浮き本体１の一端に雌ネジ３１を設けた構成となっている。雄ネジ２９と雌ネジ３１からなる連結部材３３によって、浮き本体１と浮きトップ７とが接続される。また、図４（ｂ）は、チューブ状の基材２７が浮き本体１と接続された構成の一例である。浮き本体１の一端に連結部材３５を設ける。そしてテーパー状に成形されたチューブ状の基材２７を連結部材３５にはめることにより、基材２７と浮き本体１とが接続される。基材２７と連結部材３５は、接着剤により接着してもよい。図４のように、浮きトップ７を浮き本体１から着脱可能な構成とすることにより、釣り人は、最も視認性の高い浮きトップを選択し、浮き本体１に取り付けて用いることができる。よって、視認性をさらに向上させることができる。
【００２５】
図２に示すように、着色層１１は、浮きトップの基材２７の表面に設けられ、たとえばアクリル樹脂などを含む塗料を用いることができる。特に、着色層１１にたとえば紫外線硬化性アクリル樹脂などの紫外線硬化性の樹脂を用いると、浮きに加熱処理を施さずに塗料を硬化させることができるため、好ましい。また、蛍光塗料を用いることにより、浮きの視認性をより一層高めることができる。
【００２６】
反射層１３は、無色透明とすることもできるし、有色透明とすることもできる。また、半透明とすることもできる。反射層１３に設けられたビーズ２５の形状は、浮きトップ７への入射光を乱反射させることができればよく、たとえば球状あるいは球状に近い粒子を用いることもできるし、針状、板状、その他種々の形状の材料を用いることが可能である。ビーズ２５として球状粒子を用いれば、反射層１３での乱反射をさらに効率よく生じさせることができる。
【００２７】
ビーズ２５として、たとえば、無機ビーズや有機ビーズを用いることができる。無機ビーズの例として、ガラスビーズが挙げられる。また、有機ビーズとして、熱硬化性樹脂ビーズや、熱可塑性樹脂ビーズが挙げられる。このような樹脂ビーズとして、たとえばエポキシ樹脂のビーズを用いることができる。このうち、ガラスビーズを用いることにより、反射層１３での乱反射がより一層効率よく生じるため、好ましい。
【００２８】
また、反射層１３がバインダーを含む場合、バインダーとして、たとえばアクリル系、ウレタン系、エポキシ系などの、水性または油性の樹脂ワニスや、うるし等を用いることができる。具体的には、油性塗料ではたとえば二液型ウレタン、一液型ウレタン、アクリル変性ラッカー、カシューうるし等を用いることができ、水性塗料ではたとえば水性ウレタン、水性アクリル、アクリルエマルション等を用いることができる。
【００２９】
なお、着色層１１を設けずに、反射層１３に着色顔料を含有させることもできる。
【００３０】
また、トップコート１５は反射層１３から浮き表面に向かって設けられた透明層であり、油性または水性の塗料を用いることができる。油性塗料として、たとえば、アクリルラッカーなどのラッカーを用いることができる。また、水性塗料として、たとえばウレタンラッカー、アクリル変性ウレタンラッカー、うるし液などを用いることができる。トップコート１５を設けることにより、反射層１３を保護し、浮きの耐久性をより一層高めることが可能となる。
【００３１】
図１の浮きにおいて、比重調整部９は、錘１７の着脱が可能となっている。したがって、錘１７の重量を調節することにより、浮きの重量を調節させることができる。浮きの重量を調節すると、浮きを水面に浮かべた際に、水面に露出する浮きトップ７の長さを変化させることができる。よって、浮きトップ７を浮き本体１の長軸に垂直な方向に色の境界を有する縞状とする場合、水面近傍の着色が釣り人にとって最も視認性の高い色となるよう容易に調整可能である。したがって、浮きの視認性を向上させることができる。
【００３２】
なお、錘１７に備えられた糸取付部１９の形状は特に限定されないが、たとえば、糸取付部１９としてカン金具の備えられた錘１７を用いることができる。また、図６に示すように、浮き止め３９に糸取付部１９の設け、これを用いて浮き本体１の先端部３７を固定することもできる。浮き止め３９は、たとえばウレタン性、ゴム性などとすることができる。
【００３３】
上述の図６は、本実施形態に係る浮きの異なる構成の一例を示す図である。図６では、糸取付部１９に通された釣り糸４１の先端にジョイント４３が設けられている。ジョイント４３には、餌４５および寄せ餌４７を取り付けるための針４９が設けられている。図６の浮きを水面に浮かべると、寄せ餌４７が水中に撒かれる。このとき、釣り糸４１先端部は軽くなり、浮きトップ７が上昇する。浮きトップ７は縞状に着色されているため、釣り人は、水面に現れた浮きトップ７の色の変化により、寄せ餌４７が水中に撒かれたことを確認することができる。また、餌４５の設けられた針４９に魚が食いついた場合、釣り糸４１の先端部は重くなり、浮きトップ７が沈む。この場合にも、釣り人は水面に現れた浮きトップ７の色の変化によりアタリを検知することができる。さらに、餌４５が針４９からはずれた場合には、釣り糸４１の先端部が軽くなり、浮きトップ７が上昇するため、同様にして釣り人がこれを検知することができる。
【００３４】
また、図３は、本実施形態の浮きを中通し浮きとした場合の構成の一例を示す図である。図３のように、浮きの構成を、貫通孔３の設けられた浮き本体１と、貫通孔３に貫装された棒状部材５と、を含み、棒状部材５は、長軸方向の一端に設けられた浮きトップ７と、棒状部材の長軸方向の他端に設けられた比重調整部９と、を含み、浮きトップ７が、凹凸により光を乱反射させる反射層を含む構成とすることができる。
【００３５】
図３のように中通し浮きである場合も、浮きトップに凹凸を有する反射層が設けられているため、浮きトップへの入射光は、反射層に含まれる粒子の凹凸で乱反射する。よって、釣り人から逆光となる位置においても、水面上部に露出した浮きトップで光が乱反射するため、乱反射された光が釣り人に到達する。よって、浮きの視認性が向上する。
【００３６】
図３の浮きでは、浮き本体１に貫通孔３が設けられており、貫通孔３に棒状部材５が貫装されている。棒状部材５は貫通孔３に対しスライド自在に設けられている。棒状部材５の一端に浮きトップ７が設けられ、他端に比重調整部９が設けられている。浮き本体１には、たとえば図１の浮きと同様の材料を用いることができる。このうち、モミジアオイは比重が小さく、水に浮きやすいため好ましく用いられる。棒状部材５には、浮き本体１と同じ材料を用いることもできるし、異なる材料を用いることもできる。棒状部材５として、たとえば繊維強化ポリエステルなどの棒状の合成樹脂を用いることができる。
【００３７】
次に、本実施形態に係る釣り用浮きの製造方法について、図１の浮きを用いて説明する。
【００３８】
まず、水に浮く材料を所定の形状に成形し、浮き本体１、浮きトップ７、および比重調整部９を含む浮きの外形を形成する。
次に浮きトップ７の塗装を行う。浮きトップ７は、たとえば図２の断面構造とする場合、以下のようにして得られる。浮きトップ７となる部分の基材２７の表面に、着色層１１、反射層１３、およびトップコート１５となる塗布液をこの順で塗布する。塗布方法に特に制限はないが、たとえば、刷毛塗り、スプレー塗布などの方法を用いる。また、塗布にかわり、着色層１１、反射層１３、トップコート１５となる液体に順に浸漬する方法、などを用いることもできる。また、着色層１１、反射層１３のバインダー、およびトップコート１５に紫外線硬化性塗料を用いた場合、自然乾燥や紫外線照射によりそれぞれの層を硬化する。
【００３９】
着色層１１は、たとえば図１に示すように、浮き本体１の長軸に垂直な方向に色の境界を有する多色の縞状に着色することが好ましい。こうすることにより、釣りを行う際に、比重調整部９に備えられた錘１７の質量を調節し、水面付近に露出する部分の長さを変化させることができる。よって、釣り人にとって最も視認性の高い色を水面付近に選択的に配置することが可能となる。
【００４０】
また、反射層１３は、ビーズ２５をバインダーに混合させて、樹脂ビーズの混合液を調製し、これを上記の方法により着色層１１表面に塗布することにより得られる。なお、着色層１１を設けずに、基材２７表面に直接反射層１３を設けることもできる。この場合、反射層１３が着色されていることが好ましい。
【００４１】
以上、図２の断面構造の浮きトップの形成方法について説明したが、図７の断面構造とする場合は、バインダーを用いずに、着色層１１の塗布された基材２７表面にビーズ２５を直接付着させることもできる。付着方法として、たとえばビーズ２５を基材２７表面にメッシュでふるい、付着させる方法を用いることができる。
【００４２】
得られた浮きは、反射層１３に含まれるビーズ２５の凹凸構造が光を乱反射する。したがって、釣り人から逆光となる位置においても、水面上部に露出した浮きトップで光が乱反射するため、乱反射された光が釣り人に到達する。よって、浮きの視認性が向上する。
【００４３】
【実施例】
以下に本実施形態の釣り用浮きを実施例によって具体的に説明するが、本発明はこれに限定されない。
【００４４】
（実施例１）
本実施例では、図１、図７に示す構成の釣り用浮きを作製した。
【００４５】
まず、発泡樹脂を成形し、浮きトップ７、浮き本体１、および比重調整部９を含む浮きの外形を作製した。
【００４６】
次に、浮きトップ７となる部分を塗装した。アンダーコートとなる着色層１１には、蛍光塗料であるルミノサイン（シンロイヒ社製）を用いた。各色の塗料を基材２７の表面に、長軸に垂直な方向に色の境界を有する縞状（図１）に刷毛塗りし、自然乾燥することにより硬化させた。そして、着色層１１が完全に乾燥しないうちに、無色透明で、４０〜６０メッシュパスのガラスビーズ（Ｊ３６：東芝バロティーニ社製）を着色層１１の上にふるいかけることにより、ガラスビーズからなる反射層を形成した。そしてトップコート１５として、ウレオール５００クリアー（川上塗料社製）をビーズ２５の設けられた浮きトップ７にスプレー塗布し、自然乾燥により硬化させた。
【００４７】
一方、比重調整部９となる部分には、カン金具を備えた錘を着脱自在に嵌めることができるようにした。
【００４８】
以上のようにして得られた釣り用浮きを釣りに使用したところ、逆光となる位置で使用した場合においても、浮きトップ７を透過した光がビーズ２５からなる反射層において光を乱反射し、浮きトップ７が照り輝いたため、浮きの位置およびアタリの視認性が良好であった。また、釣り人は、錘１７の質量を調整することにより、水面付近の着色を選択することができるため、浮きの視認性を向上させることができた。
【００４９】
また、本実施例の浮きは着色層１１およびトップコート１５にアクリル樹脂を含むため、長期使用後の紫外線による変色を好適に抑制することができた。
【００５０】
（実施例２）
本実施例においては、図３に示す構成の浮きを作製した。
【００５１】
モミジアオイを成形し、浮き本体１を作製した。浮き本体１の長軸の中心に、貫通孔３を設けた。貫通孔３の直径に等しい外径を有し、本体と等しい長さを有する木製の内筒を接着剤で取り付けた。
【００５２】
また、棒状の繊維強化ポリエステル樹脂を用い、内筒の内径に略等しい径を有する棒状部材５を作製した。
【００５３】
次に、棒状部材５の、浮きトップ７となる部分を実施例１と同様にして塗装した。ただし、ガラスビーズはＪ６０（東芝バロティーニ社製）を用いた。棒状部材５の他端には、比重調整部９を設け、カン金具を備えた錘１７を着脱自在に嵌めることができるようにした。
【００５４】
得られた棒状部材５を浮き本体１に貫装し、釣り用浮きを得た。これを釣りに使用したところ、逆光となる位置においても、浮きトップ７のガラスビーズが光を乱反射し、浮きトップが照り輝いたため、浮きの位置およびアタリの視認性が良好であった。また、釣り人は、錘１７の質量を調整することにより、水面付近の着色を選択することができたため、浮きの視認性を向上させることができた。
【００５５】
また、本実施例の浮きは着色層がアクリル樹脂を主として含むため、長期使用後の紫外線による変色を好適に抑制することができた。
【００５６】
従って、本実施例より、浮きの形状を中通し浮きとした場合においても、ビーズからなる反射層を設けることにより、浮きの視認性が向上することが明らかになった。
【００５７】
【発明の効果】
以上説明したように本発明によれば、基材と、基材上に形成され、凹凸構造により光を乱反射させる反射層と、を含むことにより、逆光となる位置で釣りを行う際の視認性に優れた釣り用浮きおよび浮きトップが実現される。
【図面の簡単な説明】
【図１】本発明に係る釣り用浮きの一例を示す側面図である。
【図２】図１の浮きトップのＡ−Ａ’方向の断面の一例を示す図である。
【図３】本発明に係る釣り用浮きの一例を示す側面図である。
【図４】本発明に係る浮きトップと浮き本体との接続様式の一例を示す図である。
【図５】本発明に係る浮きトップの長軸に垂直方向の断面の一例を示す図である。
【図６】本発明に係る釣り用浮きの一例を示す側面図である。
【図７】図１の浮きトップのＡ−Ａ’方向の断面の一例を示す図である。
【符号の説明】
１　浮き本体
３　貫通孔
５　棒状部材
７　浮きトップ
９　比重調整部
１１　着色層
１３　反射層
１５　トップコート
１７　錘
１９　糸取付部
２５　ビーズ
２７　基材
２９　雄ネジ
３１　雌ネジ
３３　連結部材
３５　連結部材
３７　先端部
３９　浮き止め
４１　釣り糸
４３　ジョイント
４５　餌
４７　寄せ餌
４９　針
【図１】
2004081007.tif 000003
【図２】
2004081007.tif 000004
【図３】
2004081007.tif 000005
【図４】
2004081007.tif 000006
【図５】
2004081007.tif 000007
【図６】
2004081007.tif 000008
【図７】
2004081007.tif 000009